(57)【特許請求の範囲】
【請求項１】
貯水部と植栽部とを備えており、
上記植栽部は、上記貯水部の周壁に沿って、この周壁の外側に接して設けられており、  上記貯水部の周壁に、上記植栽部に連通する通水孔と、この通水孔を開閉する栓とを備えており、
上記植栽部の外側周壁に、この周壁の内側と外側とが連通する通水孔と、この通水孔を開閉する栓とを備えている人造池容器。
【請求項２】
上記貯水部の周壁上端が上記植栽部の外側周壁上端よりも高い請求項１に記載の人造池容器。
【発明の詳細な説明】
【技術分野】
【０００１】
本発明は、人造池容器に関する。
【背景技術】
【０００２】
ホームセンター等で、ＦＲＰ樹脂製の人造池容器が販売されている。この人造池容器は、この中で観賞魚等が飼育され庭やベランダに置かれて用いられる。しかし、この人造池が置かれた場所に適当な植物がない場合は、殺風景である上、夏の強い日差しの中では水の温度が上昇して中の魚が危険になることがある。適当な植物を配置するためには背の高い植物を必要としたり、この人造池の高さに植物をかさ上げしなければならない。これらのことを実行することは、限られたスペースでは容易ではない。
【０００３】
植物が植えられる植栽部と貯水部とを組み合わせたミニ人造池の提案がある。例えば、実開平６−８４８２１号公報には、水を入れる貯水凹部と土を入れる植栽凹部とが一体に成形されたミニ庭園構築用トレーが記載されている。実登録３０３８６９８号公報には、水が満たされた外容器の中に、植栽容器が置かれた池の構造が記載されている。この植栽容器はフランジを備えており、中に土が充填されている。この土に植物が植えられる。上記いずれの池でも、貯水部の水がポンプで汲み上げられて循環するようになっている。すなわち、植栽部に川に見立てられて水路が設けられている。貯水部の水がこの水路にフィルターを介して循環させられる。
【０００４】
また、特開２０００−３１６３８５公報には、インテリア庭園の記載がある。このインテリア庭園には、水盤の中央に岩肌が設けられ、その周りに植物が配置されている。ポンプで汲み上げられた水が岩肌から流下して、その周りの植物の間を流れ循環させられる。この循環水で育てられる植物は、水草、藻類等の水性植物に限られる。
【特許文献１】実開平６−８４８２１号公報
【特許文献２】実用新案登録第３０３８６９８号公報
【特許文献３】特開２０００−３１６３８５公報
【発明の開示】
【発明が解決しようとする課題】
【０００５】
上記の池では、いずれも貯水部の水が植栽部の中を流水として循環するのみである。すなわち、魚等の生物が飼われているという貯水部の水の特質が、植栽部の植物の生育に活かされることがない。本発明は、このような現状に鑑みてなされたものであり、魚と植物とを同時に快適に育てられ、人の情操や趣味感に資することができる人造池容器の提供を目的としている。
【課題を解決するための手段】
【０００６】
本発明に係る人造池容器は、貯水部と植栽部とを備えており、上記植栽部は、上記貯水部の周壁に沿って、この周壁の外側に接して設けられている。上記貯水部の周壁には、上記植栽部に連通する通水孔と、この通水孔を開閉する栓とを備えている。また、上記植栽部の外側周壁に、この周壁の内側と外側とが連通する通水孔と、この通水孔を開閉する栓とを備えている。
【０００７】
この人造池容器は、上記貯水部の周壁上端が上記植栽部の外側周壁上端よりも高くなっていることが好ましい。
【発明の効果】
【０００８】
この人造池容器によれば、貯水部には魚等が飼育でき、この周囲の植栽部には植物が植えられる。貯水部の水には魚に与えられた餌や魚の糞等が含まれている。この貯水部の水が交換されるとき、この水が貯水部から植栽部に通水孔から容易に流し込まれる。この水は、植物の栄養になる。貯水部には、植栽部の植物により適当な日陰が作られる。冬季には、寒風が直接あたらないように植栽部が貯水部の周壁を保護し水の凍結を防止する。このように、魚に快適な環境が与えられる。この人造池容器で魚と植物とが同時に快適に育てられる。この人造池容器は、公園等の広い場所に限らず、家庭の庭、ベランダ及び建物の隙間に設置することができる。また、この人造池で生物と植物の世話を子供にさせると、子供の情操の健全な発達に役立つ。成人にとっては、魚等及び植物の生育や四季の変化が楽しまれ、趣味感が満足させられる。
【発明を実施するための最良の形態】
【０００９】
以下、適宜図面が参照されつつ、好ましい実施形態に基づいて本発明が詳細に説明される。
【００１０】
図１は、本発明の一実施形態に係る人造池容器１が示された斜視図である。図２は、図１の人造池容器１の平面図である。図３は、図２のIII−III線に沿った断面図である。これらの図では、植物等は簡略化されて示されている。この人造池容器１は、貯水部３と植栽部５とを備えている。貯水部３は、上部に開口しており、周壁７によって囲まれている。植栽部５は、上記貯水部３に接して貯水部３の周囲に設けられている。この植栽部５も上部に開口しており、外側周壁９と内側周壁１１とを備えている。図１では、人造池容器１の外側周壁１１の周りに飾りとして石が配置されている。
【００１１】
貯水部３の材質は、通常、樹脂、ゴム、ステンレス、琺瑯及びセラミックのいずれかからなる。軽量であり、流通段階での取り扱いが容易である点から樹脂又はゴムがより好ましい。中でも強度が大きく、耐久性が大きい観点から補強繊維強化樹脂（ＦＲＰ）が好ましい。
【００１２】
植栽部５の材質も、貯水部３と同じでよい。しかし、植栽部５は、水不透過性に関しては貯水部３に対する要求水準までは要求されない。このため、植栽部５の材質は、植栽部５の機能に合わせて貯水部３とは異なる材質が用いられてもよい。貯水部３と植栽部５とは、一体に成形されてもよく、別に成形され接合されてもよい。貯水部３と植栽部５とが別々に成形されて接合されるときは、例えば公知の接着又は溶着の方法が用いられる。人造池容器１の大きさには、特に制限はないが、長手方向の長さは通常５０ｃｍ以上３ｍ以下程度である。
【００１３】
人造池容器１は、貯水部３の周壁７と植栽部５の内側周壁１１とが連通される通水孔１９を備えている。この通水孔１９は、通常、貯水部３と植栽部５の各々の周壁に予め成形される。また、上記貯水部３と植栽部５とを接合させた後に周壁７と内側周壁１１を貫通する孔を穿って形成することもできる。この穿って形成された通水孔１９の場合は、周壁７の水密性が確保されるように通水孔１９の縁が仕上げ加工される。この通水孔１９には後述する栓が配置されやすくするための栓枠が取り付けられることが好ましい。通水孔１９は、金属又は樹脂製のパイプを取り付けることによって形成してもよい。周壁７及び内側周壁１１と栓枠又はパイプとの間は、シール材でシール処理される。
【００１４】
この通水孔１９には、貯水部３の中の異物が集まりやすい。この異物によって通水孔１９が詰まることがある。このときに異物を取り除きやすい面から、通水孔１９は簡単な構造であることが好ましい。水が植栽部５に流されるときに通水孔１９の手前に異物防止網等が配置されてもよい。
【００１５】
この通水孔１９の大きさは、人造池容器の大きさによっても異なるが、通常、断面が円形の場合では直径１ｃｍ以上８ｃｍ以下である。直径が上記範囲よりも小さいと、通水に時間がかかり、又通水孔１９が詰まりやすい。この観点から直径は、２ｃｍ以上であることがより好ましい。また、直径が上記範囲より大きいと嵩張り操作性が悪くなる。この観点から、直径は６ｃｍ以下であることがより好ましい。通水孔１９の形状は、栓が機能する限り、特に制限はなく、矩形、楕円形等でもよい。この通水孔１９は、複数箇所設けられてもよい。特に大型の人造池容器１の場合は、複数箇所の通水孔１９により、貯水部３の水が植栽部５に均等に行き渡るようにすることが好ましい。
【００１６】
この通水孔１９には、栓２１が備えられている。栓２１としては、特に制限はなく、使いやすさから選択される。前述の通水孔１９にパイプ類が用いられない場合にはゴム栓２１が好適に用いられる。また、通水孔の掃除等の場合取り扱いが簡単であるという面でもゴム栓２１が用いられる。また、流水量の調節しやすさという面からは、上記のパイプと共にコック式又はバルブ式の栓２１が用いられる。
【００１７】
栓２１は、通常のときは閉じられている。水の交換のために貯水部３の水が植栽部５に送り込まれるときに栓２１が開けられる。この通水孔１９及び栓２１は貯水部３の底面に近い部分に設けられることが好ましい。魚の餌の残りや糞が貯水部３の底部に溜まりやすく、これらを植栽部５に移行させやすいためである。水を換えるときには、稚魚や小魚等がいるときは、これらを保護するため網で貯水部の一部を仕切る等の配慮がなされる。
【００１８】
植栽部５には、植物の植栽層が形成される。植栽層は、植物を育てるための水はけ及び保水性が考慮されて形成される。すなわち、植栽部５には、植栽する植物の種類に合わせて土や砂利の層が設けられる。図３に示されているように、この植栽層は、通常、植栽部５の底から下部半分程度まで大粒の軽石Ｈ等が敷かれる。この上に小石Ｉ、砂利Ｊ等を積層し、上層に土Ｋの層が配置される。
【００１９】
植栽部５の外側周壁９には、通水孔２３及び栓２５が上記の通水孔１９における場合と同様に設けられる。通水孔２３を通る水は、植栽部の砂利Ｊ等の層で濾される。栓２５を通る水は比較的異物が少ない。栓２５は、流水量を調節できる面から、開閉コック式、バルブ式等が好適に用いられる。栓２５は、排水の自由度が高いという観点から底面に近い位置に配置される。
【００２０】
貯水部３の水を植栽部５に移すときは、通常、上記のように通水孔１９を通して行われる。場合によっては、貯水部３の周壁７の上端１３から貯水部３の水を溢れさせてもよい。この場合、貯水部３の水が植栽部５に容易に流れ、またこの水が逆流しないように周壁７が形成されることが好ましい。そのため、上記貯水部３の周壁上端１３は、貯水部３植栽部５の外側周壁上端１５よりも高く配置される。上端１３から水を溢れさせる方法は、貯水部の水面の浮いた餌や藻等を掃除したい場合等に有効である。植栽層の下層に配置されている大粒の軽石Ｈ等の層は水はけがよい。もしも、栓２５が開放されていると貯水部３の水が軽石Ｈ等の層の下を通過して人造池容器の外部に流出してしまう恐れがある。このため、水が植栽部５に移されるときは、植栽部の水が保持されるように、栓２５は閉じられる。
【００２１】
栓２５が閉じられることによって、貯水部３の水が植栽部５の大粒の軽石等の層よりも上の砂利Ｊ及び土Ｋの層を浸すまで送り込まれる。この水は、植栽部５の上部の層に保水機能によって保持される。この送水の後は、次の送水までの間、栓２５は通常開かれている。そのため、内部の軽石Ｈや土Ｋの層には空気層が備わる。この空気層を含む植栽部５が人造池に対して断熱効果を備え、保温の役割を果たしている。また、栓２５が開かれていれば、余分な水の排出ができる。不意の大雨等で植栽部５が水浸しになる等の恐れも少なくなる。栓２５がコック式又はバルブ式である場合は、開き具合が調節され得る。
【００２２】
人造池の大掃除等のため、貯水部３の水を廃棄するときは、栓２１と栓２５とが共に開放される。この水は、植栽部５の大粒の軽石Ｈ等の層を通過して外部に放出される。もしも、この水が植栽部５の上部の土Ｋ層等まで達するときは、栓２１が絞られ栓２５が全開される等、調節される。
【００２３】
人造池容器１によれば、貯水部３の魚の餌や糞等からくる窒素分を含む水が植栽部５に流入され直接利用される。この植栽部５に植えられた植物は、よく育ち貯水部３に適度の日陰をもたらす。この日陰により、夏の強い日差しのときでも貯水部の水の温度が上昇しすぎることがない。冬季には、植栽部が貯水部３の周壁７に寒風が直接当たらないように保護し、人造池の水の凍結を防止する。このようにして、貯水部３の水が快適な温度に保たれやすい。この人造池により貯水部３の魚等に快適な環境が提供される。この人造池で魚及び植物の世話をすることは、子供にとっては、自然との触れ合いを通じて情操が育まれる。成人の趣味としても飼育する魚や植物の選択、アレンジ等が楽しめる。また、四季折々に生物及び植物の生長、変化等が鑑賞される。
【００２４】
図４は、本発明の他の実施形態に係る人造池容器３１が示された平面図である。図５は、図４のV−V線に沿った断面図である。この人造池容器３１も貯水部３３と植栽部３５とを備えている。貯水部３３は、周壁３７によって囲まれている。この貯水部３３は、外容器３９に底面も含めて収容されている。この外容器３９の周壁４１と上記周壁３７とによって囲まれる領域に植栽部３５が形成されている。
【００２５】
この人工池容器３１では、貯水部３３の容器と外容器３９とは、別々に制作されて組み合わされることができる。貯水部３３の周壁３７に植栽部３５に連通する孔４３と栓４５とを備えている。また周壁４１には外容器３９の外側に連通する通水孔４７と栓４９とを備えている。
【００２６】
この周壁３７の上端５５は、周壁４１の上端５７よりも高く形成されている。この上端５５と上端５７の高さの差が比較的大きく設定されている。この場合は、サイホンや手動ポンプを用いることによっても、貯水部３３の水が植栽部３５に容易に流される。この送水方法は、通水孔４３から離れている貯水部３３の底部の水を先に植栽部３５に移す場合に便利である。
【００２７】
上記のように構造が簡単なので、人造池容器３１の製作が比較的容易である。したがって、製造コストが抑えられる。この人造池容器３１は、貯水部３３と植栽部３５の面積の取り合いを変更することもできる。この人造池容器３１は、利用方法の自由度が高いため、趣味感の拡大にも役立つ。
【００２８】
例えば、図５に二点鎖線で示されているように、付帯構造が設けられることにより利用方法を変更することもできる。この例では、外容器３９は、その底部に脚５０を備え底部が持ち上げられた構造を備えている。貯水部３３の底部に、排水孔５１が備えられてもよい。この排水孔５１は、外容器の底も貫通して外部に連通し、バルブ５３を備えている。この場合は、貯水部３３の容器と外容器３９とは底部で一体的に結合されている。底部の排水孔５１は、通常、貯水部の底面に傾斜が設けられ、その傾斜の最も低い部分に配置される。この人造池容器３１では、貯水部３３の排水孔５１から水を全部抜き出すことができる。この排水孔５１は、魚等の内容を別の容器に移して大掃除をする場合等に役立つ。
【００２９】
図６は、本発明のさらに他の実施形態に係る人造池容器６１が示された平面図である。図７は図６のVII−VII線に沿った断面図である。この人造池容器６１は、貯水部６３と植栽部６５とを備えている。貯水部６３は周壁６７に囲まれている。植栽部６５は、外側の周壁６９に囲まれている。この人造池容器６１は、上記外側の周壁６９が貯水部６９の周壁６７に合体して一体化した部分を備えている。この部分では、植栽部６５がなく、貯水部３の周壁６７が人造池容器６１の外側周壁を形成している。人造池容器６１は、通常、一体に成形される。また、貯水部６３用容器とこれを取り巻く植栽部６５用容器とが別々に形成され接着又は用着によって合体されることにより人造池容器６１が製作されてもよい。
【００３０】
この周壁６７には、植栽部６５に連通する通水孔７１と栓７３とが備えられている。また周壁６９には、周壁６９の外側に連通する通水孔７５と栓７７とが備えられている。この人造池容器６１は、植栽部６５の面積が節約されているためコンパクトである。したがって、場所の狭いところでも十分な機能を果たすことができる。この人造池容器６１は、例えば、ベランダ、室内、建物の隙間等でも用い得る。
【００３１】
図８は、本発明のさらに他の実施形態に係る人造池容器８１が示された平面図である。図９は、図８のIX−IX線に沿った断面図である。この人造池容器８１も貯水部８３と植栽部８５とを備えおり、貯水部８３を囲む周壁８７及び植栽部を囲む外側の周壁８９とを備えている。この貯水部８３には、浅瀬部９１が設けられている。この浅瀬部８９は、貯水部８３の水量が減らされることにより、陸地とされてもよい。
【００３２】
この周壁８７には、植栽部６５に連通する通水孔９３と栓９５とが備えられている。また周壁８９には、その外側に連通する通水孔９７と栓９９とが備えられている。この人造池容器８１は、一体的に成形されてもよいが、形状が複雑になり困難を伴うことが多い。この場合は、分割して成形された部品を溶着又は接着等により形成されてもよい。例えば、硬質ゴムが用いられる場合、人造池容器８１は、補強繊維が用いられた加硫接着等で一体化成形され得る。この人造池容器８１によれば、亀、蛙等の両生類が貯水部８３で飼育されるのに好適である。
【産業上の利用可能性】
【００３３】
本発明は、人造池容器に適用され得る。
【図面の簡単な説明】
【００３４】
【図１】図１は、本発明の一実施形態に係る人造池容器の使用状態が示された斜視図である。
【図２】図２は、図１の人造池容器の平面図である。
【図３】図３は、図２の断面図である。
【図４】図４は、本発明の他の実施形態に係る人造池容器の使用状態が示された平面図である。
【図５】図５は、図４のV−V線に沿った断面図である。
【図６】図６は、本発明のさらに他の実施形態に係る人造池容器の使用状態が示された平面図である。
【図７】図７は、図６のVII−VII線に沿った断面図である。
【図８】図８は、本発明のさらに他の実施形態に係る人造池容器の使用状態が示された平面図である。
【図９】図９は、図８のIX−IX線に沿った断面図である。
【符号の説明】
【００３５】
１、３１、６１、８１・・・人造池容器
３、３３、６３、８３・・・貯水部
５、３５、６５、８５・・・植栽部
７、３７、６７、８７・・・貯水部周壁
９、４１、６９、８９・・・植栽部外周壁
１１・・・植栽部内周壁
１３、５５・・・貯水部周壁上端
１５、５７・・・植栽部外周壁上端
１９、４３、７１、９３・・・貯水部周壁の通水孔
２１、４５、７３、９５・・・貯水部周壁の通水孔の栓
２３、４７、７５、９７・・・植栽部外周壁の通水孔
２５、４９、７７、９９・・・植栽部外周壁の通水孔の栓
【図１】
0003704343.tif 000002
【図２】
0003704343.tif 000003
【図３】
0003704343.tif 000004
【図４】
0003704343.tif 000005
【図５】
0003704343.tif 000006
【図６】
0003704343.tif 000007
【図７】
0003704343.tif 000008
【図８】
0003704343.tif 000009
【図９】
0003704343.tif 000010